【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
図柄を変動／確定表示可能な図柄表示部と、各種表示演出を行うための演出用表示部と、開閉動作可能な可動部材を有する特別入賞手段とが設けられているとともに、遊技に係る動作や前記図柄表示部及び前記演出用表示部における表示動作を制御する制御手段を備えており、
前記制御手段は、所定条件の充足にもとづいて１又は複数の乱数から数値を取得すると、取得した前記数値にもとづいて前記図柄の確定表示態様及び前記図柄の変動時間を決定し、前記図柄表示部において前記図柄の変動を開始させ、前記変動時間の経過に伴い前記図柄を所定の確定表示態様で確定表示させる一方、
さらに、前記図柄を特別な確定表示態様で確定表示させたことにもとづいて、前記特別入賞手段を所定の態様で作動させる特別遊技状態を生起させるとともに、前記特別遊技状態の終了後、前記図柄の確定表示回数が特定回数に達するまで遊技者にとって有利な特定遊技状態を生起させる遊技機であって、
前記制御手段は、前記特定遊技状態の生起中、前記演出用表示部に特定個数の第１表示体を表示するとともに、前記図柄の変動開始に伴い所定個数の前記第１表示体を消化する一方、新たに前記所定個数の前記第１表示体を追加し、
さらに、前記図柄の確定表示回数が前記特定回数に達するまでに消化される前記第１表示体の個数が前記特定個数以下になると、前記第１表示体とは異なる第２表示体を追加するとともに、前記第２表示体の追加以降は、前記図柄の確定表示回数が前記特定回数に達するまで前記第１表示体及び前記第２表示体の追加を行わず、前記図柄の確定表示回数が前記特定回数となる前記図柄の変動開始時に、前記第２表示体を消化することを特徴とする遊技機。
【手続補正２】
【補正対象書類名】明細書
【補正対象項目名】０００６
【補正方法】変更
【補正の内容】
【０００６】
上記目的を達成するために、本発明は、図柄を変動／確定表示可能な図柄表示部と、各種表示演出を行うための演出用表示部と、開閉動作可能な可動部材を有する特別入賞手段とが設けられているとともに、遊技に係る動作や前記図柄表示部及び前記演出用表示部における表示動作を制御する制御手段を備えており、前記制御手段は、所定条件の充足にもとづいて１又は複数の乱数から数値を取得すると、取得した前記数値にもとづいて前記図柄の確定表示態様及び前記図柄の変動時間を決定し、前記図柄表示部において前記図柄の変動を開始させ、前記変動時間の経過に伴い前記図柄を所定の確定表示態様で確定表示させる一方、さらに、前記図柄を特別な確定表示態様で確定表示させたことにもとづいて、前記特別入賞手段を所定の態様で作動させる特別遊技状態を生起させるとともに、前記特別遊技状態の終了後、前記図柄の確定表示回数が特定回数に達するまで遊技者にとって有利な特定遊技状態を生起させる遊技機であって、前記制御手段は、前記特定遊技状態の生起中、前記演出用表示部に特定個数の第１表示体を表示するとともに、前記図柄の変動開始に伴い所定個数の前記第１表示体を消化する一方、新たに前記所定個数の前記第１表示体を追加し、さらに、前記図柄の確定表示回数が前記特定回数に達するまでに消化される前記第１表示体の個数が前記特定個数以下になると、前記第１表示体とは異なる第２表示体を追加するとともに、前記第２表示体の追加以降は、前記図柄の確定表示回数が前記特定回数に達するまで前記第１表示体及び前記第２表示体の追加を行わず、前記図柄の確定表示回数が前記特定回数となる前記図柄の変動開始時に、前記第２表示体を消化することを特徴とする。
なお、図柄を変動／確定表示可能な図柄表示部と、各種表示演出を行うための演出用表示部と、開閉動作可能な可動部材を有する特別入賞手段とが設けられているとともに、遊技に係る動作や前記図柄表示部及び前記演出用表示部における表示動作を制御する制御手段を備えており、前記制御手段は、所定条件の充足にもとづいて１又は複数の乱数から数値を取得すると、取得した前記数値にもとづいて前記図柄の確定表示態様及び前記図柄の変動時間を決定し、前記図柄表示部において前記図柄の変動を開始させ、前記変動時間の経過に伴い前記図柄を所定の確定表示態様で確定表示させる一方、さらに、前記図柄を特別な確定表示態様で確定表示させたことにもとづいて、前記特別入賞手段を所定の態様で作動させる特別遊技状態を生起させるとともに、前記特別遊技状態の終了後、前記図柄の確定表示回数が特定回数に達するまで遊技者にとって有利な特定遊技状態を生起させる遊技機において、前記制御手段は、前記特定遊技状態の生起中、前記演出用表示部に特定表示領域を形成し、前記特定表示領域に特定個数の第１表示体を表示するとともに、前記図柄の変動開始に伴い所定個数の前記第１表示体を前記特定表示領域外へ移動又は消去して消化する一方、新たに前記所定個数の前記第１表示体を前記特定表示領域へ追加し、さらに、前記図柄の確定表示回数が前記特定回数に達するまでの前記第１表示体の消化個数が前記特定個数以下になると、前記第１表示体とは異なる第２表示体を前記特定表示領域へ追加するとともに、前記第２表示体の追加以降は、前記図柄の確定表示回数が前記特定回数に達するまで前記特定表示領域への前記第１表示体及び前記第２表示体の追加を行わず、前記図柄の確定表示回数が前記特定回数となる前記図柄の変動開始時に、前記第２表示体を前記特定表示領域外へ移動又は消去して消化するといった第１の構成を採用することも考えられる。
そして、そのような第１の構成を採用することで、第１表示体や第２表示体等の従来にない新たな表示体を用いて特定遊技状態の終了時期を報知するため、遊技者が新鮮味を感じるような演出を実現することができ、遊技性の高い遊技機とすることができるといった効果を奏することができる。
また、上記第１の構成を採用したものにおいて、前記特定遊技状態として、前記特定回数が第１特定回数である第１特定遊技状態と、前記特定回数が前記第１特定回数よりも多い第２特定回数である第２特定遊技状態との少なくとも２種類が設定されており、前記制御手段は、前記第２特定遊技状態の生起中、前記図柄の確定表示回数が前記第１特定回数と同じ回数に達するまでの前記第１表示体の消化個数が前記特定個数以下になった場合にも、前記第１表示体とは異なる第２表示体を前記特定表示領域へ追加するとともに、前記第２表示体の追加以降は、前記図柄の確定表示回数が前記特定回数に達するまで前記特定表示領域への前記第１表示体及び前記第２表示体の追加を行わず、前記図柄の確定表示回数が前記第１特定回数と同じ回数となる前記図柄の変動開始時に、前記第２表示体を前記特定表示領域外へ移動又は消去して消化し、さらに、前記第２表示体を消化した後、前記特定個数の前記第１表示体を新たに前記特定表示領域へ追加するといった第２の構成を採用することも考えられる。
そして、そのような第２の構成を採用することで、遊技者にしてみると、第２表示体の消化に際して、特定遊技状態が終了するのか否かに極めて高い関心をもって遊技することができ、遊技性の更なる向上を図ることができるといった効果を奏することができる。
さらに、上記第１又は第２の構成を採用したものにおいて、前記制御手段は、前記遊技に係る動作及び前記図柄表示部における表示動作を制御するメイン制御手段と、前記演出用表示部における表示動作を制御するサブ制御手段とからなり、前記メイン制御手段は、前記図柄の変動表示中に前記所定条件が充足されて前記乱数から数値を取得すると、当該取得した数値を保留情報として所定個数まで記憶し、前記図柄を確定表示すると、前記サブ制御手段へ前記開始コマンドを送信するとともに前記図柄の変動を開始させるといった態様で前記保留情報を順次消化する遊技機とし、前記メイン制御手段は、前記保留情報にもとづく予定情報を作成するとともに、当該保留情報の消化に係る前記開始コマンドの送信よりも前に前記サブ制御手段へ送信する一方、前記サブ制御手段は、前記特定遊技状態の生起中であり、且つ、前記第２表示体を表示していない状態において前記予定情報を受信すると、当該予定情報に係る開始コマンドを受信した際に消化する前記第１表示体の個数を選択的に決定するといった第３の構成を採用することも考えられる。
そして、そのような第３の構成を採用することで、図柄の変動開始時における第１表示体の消化数が一様でない新たな演出を遊技者に提供することができるといった効果を奏することができる。
【手続補正３】
【補正対象書類名】明細書
【補正対象項目名】０００７
【補正方法】変更
【補正の内容】
【０００７】
本発明によれば、第１表示体や第２表示体等の従来にない新たな表示体を用いて特定遊技状態の終了時期を報知するため、遊技者が新鮮味を感じるような演出を実現することができ、遊技性の高い遊技機とすることができる。